(57)【要約】【課題】ゲートウェイに対する要求を高くすることなく、車載ネットワークを介したコンテンツの送受信を行うことができる車載装置、車載装置におけるコンテンツ再生方法およびコンテンツ再生プログラムを提供する。【解決手段】車内ネットワークを介して、モードをコンテンツデータを再生するモードに切り替えるコマンド情報を受信する第１の通信部と、第１の通信部で受信したコマンド情報に応じて、モードをコンテンツデータを再生するモードに切り替える制御部と、コンテンツデータを車内ネットワークとは異なる通信ネットワークから受信する第２の通信部と、第２の通信部で受信したコンテンツデータを再生するコンテンツ再生部とを有し、第１の通信部は、コンテンツデータを再生するモードに切り替わったことを示す情報を車内ネットワーク上に送出する車載装置である。【選択図】  図１
2020205591.tif 000002
【特許請求の範囲】
【請求項１】
車内ネットワークを介して、モードをコンテンツデータを再生するモードに切り替えるコマンド情報を受信する第１の通信部と、
前記第１の通信部で受信したコマンド情報に応じて、モードをコンテンツデータを再生するモードに切り替える制御部と、
前記コンテンツデータを前記車内ネットワークとは異なる通信ネットワークから受信する第２の通信部と、
前記第２の通信部で受信した前記コンテンツデータを再生するコンテンツ再生部と
を有し、
前記第１の通信部は、前記コンテンツデータを再生するモードに切り替わったことを示す情報を前記車内ネットワーク上に送出する
車載装置。
【請求項２】
車内ネットワークを介して、モードをコンテンツデータを再生するモードに切り替えるコマンド情報を受信し、
受信した前記コマンド情報に応じて、モードを前記コンテンツデータを再生するモードに切り替え、
前記車内ネットワークとは異なる通信ネットワークから前記コンテンツデータを受信し、
受信した前記コンテンツデータを再生し、
前記コンテンツデータを再生するモードに切り替わったことを示す情報を前記車内ネットワーク上に送出する
車載装置におけるコンテンツ再生方法。
【請求項３】
車内ネットワークを介して、モードをコンテンツデータを再生するモードに切り替えるコマンド情報を受信し、
受信した前記コマンド情報に応じて、モードを前記コンテンツデータを再生するモードに切り替え、
前記車内ネットワークとは異なる通信ネットワークから前記コンテンツデータを受信し、
受信した前記コンテンツデータを再生し、
前記コンテンツデータを再生するモードに切り替わったことを示す情報を前記車内ネットワーク上に送出する
車載装置におけるコンテンツ再生方法をコンピュータに実行させるコンテンツ再生プログラム。
【発明の詳細な説明】
【技術分野】
【０００１】
本技術は、車載装置、コンテンツ再生方法およびコンテンツ再生プログラムに関する。
【背景技術】
【０００２】
近年、様々なサービス、機能を提供する多種多様なアプリケーションを有する携帯電話機、スマートフォンなどの携帯端末装置が普及している。そして、よりアプリケーションによる利便性を高めるために、それら携帯端末装置と他の装置、他のネットワークとの連携が望まれている。例えば、汎用の携帯端末を車内ネットワークに接続することを可能とする車両通信システムおよびゲートウェイ装置が提案されている。（特許文献１）。
【先行技術文献】
【特許文献】
【０００３】
【特許文献１】特開２００５−２３６５６０号公報
【発明の概要】
【発明が解決しようとする課題】
【０００４】
しかし、特許文献１に記載の技術においては、車内ネットワークと無線通信の変換機（例えば、ゲートウェイと称される機器など）に求める役割が大きいという問題がある。例えば、双方の機器の保有するコンテンツ一覧を取得して情報を保持し、コンテンツ一覧の提供を行う必要があるほか、片方の機器からリクエストがあれば、他方の機器からコンテンツを取得して一時的に保持し、リクエストしている機器にコンテンツを送信する役目も果たす必要がある。このような役目を果たすゲートウェイは、コンテンツの圧縮率などにもよるが、一般的にはコマンドを受け渡しするだけのゲートウェイに比べて、要求される機器の性能が高くなり、必然的に高価な物になってしまうという問題がある。また、コンテンツの高音質化、高画質化に対応しきれなくなるリスクもある。
【０００５】
本技術は、このような点に鑑みてなされたものであり、ゲートウェイに対する要求を高くすることなく、コンテンツの送受信を可能とする車載装置、コンテンツ再生方法およびコンテンツ再生プログラムを提供することを目的とする。
【課題を解決するための手段】
【０００６】
上述した課題を解決するために、第１の技術は、車内ネットワークを介して、モードをコンテンツデータを再生するモードに切り替えるコマンド情報を受信する第１の通信部と、第１の通信部で受信したコマンド情報に応じて、モードをコンテンツデータを再生するモードに切り替える制御部と、コンテンツデータを車内ネットワークとは異なる通信ネットワークから受信する第２の通信部と、第２の通信部で受信したコンテンツデータを再生するコンテンツ再生部とを有し、第１の通信部は、コンテンツデータを再生するモードに切り替わったことを示す情報を車内ネットワーク上に送出する車載装置である。
【０００７】
また、第２の技術は、車内ネットワークを介して、モードをコンテンツデータを再生するモードに切り替えるコマンド情報を受信し、受信したコマンド情報に応じて、モードをコンテンツデータを再生するモードに切り替え、車内ネットワークとは異なる通信ネットワークからコンテンツデータを受信し、受信したコンテンツデータを再生し、コンテンツデータを再生するモードに切り替わったことを示す情報を車内ネットワーク上に送出する車載装置におけるコンテンツ再生方法である。
【０００８】
また、第３の技術は、車内ネットワークを介して、モードをコンテンツデータを再生するモードに切り替えるコマンド情報を受信し、受信したコマンド情報に応じて、モードをコンテンツデータを再生するモードに切り替え、車内ネットワークとは異なる通信ネットワークからコンテンツデータを受信し、受信したコンテンツデータを再生し、コンテンツデータを再生するモードに切り替わったことを示す情報を車内ネットワーク上に送出する車載装置におけるコンテンツ再生方法をコンピュータに実行させるコンテンツ再生プログラムである。
【発明の効果】
【０００９】
本技術によれば、ゲートウェイに対する要求を高くすることなく、車載ネットワークを介したコンテンツの送受信を行うことができる。
【図面の簡単な説明】
【００１０】
【図１】図１は、本技術におけるコンテンツ再生システムの構成を示すブロック図である。
【図２】図２は、第１の実施の形態に係る端末装置の構成を示すブロック図である。
【図３】図３は、ゲートウェイ装置の構成を示すブロック図である。
【図４】図４は、ゲートウェイ装置からカーオーディオ装置に送信されるデータのフォーマットを説明するための図である。
【図５】図５は、第１の実施の形態に係るカーオーディオ装置の構成を示すブロック図である。
【図６】図６は、カーオーディオ装置と、車両に搭載される他の装置のＣＡＮバスを用いた接続態様を示すブロック図である。
【図７】図７は、本技術の第１の実施の形態における処理の流れを示すフローチャートである。
【図８】図８は、本技術の第２の実施の形態に係る端末装置の構成を示すブロック図である。
【図９】図９は、本技術の第２の実施の形態に係るカーオーディオ装置の構成を示すブロック図である。
【図１０】図１０は、本技術の第２の実施の形態における処理の流れを示すフローチャートである。
【図１１】図１１は、本技術の第２の実施の形態における処理の流れを示すフローチャートである。
【図１２】図１２は、本技術の第３の実施の形態に係る端末装置の構成を示すブロック図である。
【図１３】図１３は、本技術の第３の実施の形態における処理の流れを示すフローチャートである。
【発明を実施するための形態】
【００１１】
以下、本技術の実施の形態について図面を参照しながら説明する。ただし、本技術は以下の実施の形態のみに限定されるものではない。なお、説明は以下の順序で行う。
＜１．第１の実施の形態＞
［１−１．コンテンツ再生システムの構成］
［１−２．端末装置の構成］
［１−３．ゲートウェイ装置の構成］
［１−４．カーオーディオ装置の構成］
［１−５．コンテンツ再生システムにおける処理］
＜２．第２の実施の形態＞
［２−１．端末装置の構成］
［２−２．カーオーディオ装置の構成］
［２−３．コンテンツ再生システムにおける処理］
＜３．第３の実施の形態＞
［３−１．端末装置の構成］
［３−２．コンテンツ再生システムにおける処理］
＜４．変形例＞
【００１２】
＜１．第１の実施の形態＞
［１−１．コンテンツ再生システムの構成］
図１は本実施の形態に係るコンテンツ再生システム１０の概略構成を示すブロック図である。コンテンツ再生システム１０は、端末装置１００、ゲートウェイ装置２００および車載装置としてのカーオーディオ装置３００とから構成されている。
【００１３】
端末装置１００は、コンテンツストリーミング用アプリケーションがインストールされており、音楽、動画、画像などのコンテンツをストリーミングする機能を有する。端末装置１００は、有線または／および無線の通信機能を有するものである。端末装置１００としては、例えば、携帯電話機、スマートフォン、携帯音楽プレーヤ、タブレット端末、パーソナルコンピュータ、デジタルカメラなどがある。
【００１４】
ゲートウェイ装置２００は、端末装置１００とカーオーディオ装置３００間のデータ転送を行うネットワーク装置である。ゲートウェイ装置２００は、ＣＡＮ（Controller Area Network）と称される車内ＬＡＮ（Local Area Network）によりカーオーディオ装置３００と接続されている。ＣＡＮとは、自動車等において機器間の相互通信に用いられるネットワークの規格の１つであり、ＣＡＮバス方式と称されるシリアル通信方式を採用するものである。耐ノイズ性に優れ信頼性が高く、転送速度は最高で１Ｍｂｐｓ（Bits Per Second）程度まで設定することが可能、などの特徴がある。ＣＡＮバスには複数の機器、装置（ノード）が接続され、各ノードはＣＡＮバスを介して、データの送受信を行う。各ノードは、例えば、自動車の各部を制御する複数の電子制御ユニットＥＣＵ(Electronic Control Unit)により構成される。
【００１５】
カーオーディオ装置３００は、自動車などの車両に搭載され、音楽、動画などのコンテンツを再生する機能を有するものである。カーオーディオ装置３００は、有線または／および無線の通信機能を有するものである。
【００１６】
本実施の形態においては、端末装置１００、ゲートウェイ装置２００、カーオーディオ装置３００は全て、少なくとも２種類以上の通信方式を利用することができるようにそれぞれが通信モジュールを備えているものとする。端末装置１００、ゲートウェイ装置２００、カーオーディオ装置３００は、相互に接続されており、データの送受信が可能となっている。コンテンツは、端末装置１００からカーオーディオ装置３００に直接送信される。なお、各装置の接続は無線通信、有線通信どちらでもよい。各装置の詳細な構成については後述する。
【００１７】
［１−２．端末装置の構成］
次に、コンテンツ再生システム１０を構成する端末装置１００について説明する。図２は端末装置１００の構成を示すブロック図である。端末装置１００は、第１通信部１１０、第２通信部１２０、記憶部１３０、入力部１４０、表示部１５０、制御部１６０を備える。
【００１８】
第１通信部１１０は、所定の通信方式を用いてゲートウェイ装置２００およびカーオーディオ装置３００とのデータの送受信を行う通信モジュールである。通信方式はＷｉ−Ｆｉ（Wireless Fidelity）、無線ＬＡＮ、３Ｇ回線、ＬＴＥ（Long Term Evolution）などがある。なお、本実施の形態においては、第１通信部１１０はＷｉ−Ｆｉによって通信を行うものとして説明を行う。
【００１９】
第２通信部１２０は、所定の通信方式を用いてカーオーディオ装置３００とのデータの送受信を行うための通信モジュールである。通信方式としては、例えば、Bluetooth、Ｗｉ−Ｆｉ、無線ＬＡＮ、３Ｇ回線、ＬＴＥ（Long Term Evolution）などがある。なお、本実施の形態においては、第２通信部１２０はBluetoothによって通信を行うものとして説明を行う。
【００２０】
第１通信部１１０および第２通信部１２０による通信により、端末装置１００はインターネット接続、他の装置の通信を行うことが可能となる。なお、通信方式は、上述した無線通信方式に限られず、ＵＳＢ（Universal Serial Bus）接続、ＬＡＮケーブル接続などの有線通信であってもよい。また、上述した通信方式以外の方式であってもデータ通信が可能な接続方法であればどのようなものを採用してもよい。通信方式は、端末装置１００の機種、ＯＳ（Operation System）の種類などに基づいて適宜選択するようにしてもよい。なお、本実施の形態においては、第１通信部１１０はＷｉ−Ｆｉによって通信を行い、第２通信部１２０はBluetoothによって通信を行うものとする。
【００２１】
記憶部１３０は、例えば、ＨＤＤ（Hard Disc Drive）、ＳＳＤ（Solid State Drive）、不揮発性メモリなどの大容量記憶媒体から構成されるものである。記憶部１３０は、音声、動画などのコンテンツデータ、アプリケーション、端末装置１００の動作に必要な各種データなどを保存するものである。記憶部１３０は、例えば、ＳＤメモリーカードなどのような端末装置１００に脱着可能な外部記憶媒体であってもよい。
【００２２】
なお、本実施の形態は、端末装置１００からカーオーディオ装置３００に送信され、カーオーディオ装置３００において再生されるコンテンツは楽曲などの音声コンテンツである場合を例にして説明を行う。ただし、端末装置１００からカーオーディオ装置３００に送信され、カーオーディオ装置３００において再生されるコンテンツは、音声コンテンツに限られず、動画コンテンツ、画像コンテンツなどのその他のコンテンツでもよい。
【００２３】
入力部１４０は、ユーザが端末装置１００に対して各種入力を行うための入力手段である。例えば、ボタン、タッチパネル、スイッチなどにより構成されている。また、入力部１４０は、表示部１５０と一体に構成されたタッチスクリーンとして構成してもよい。入力部１４０に対してユーザによる入力操作がなされると、その入力に対応した制御信号が生成されて制御部１６０に出力される。そして、制御部１６０によりその制御信号に対応した演算処理や制御が行われる。
【００２４】
表示部１５０は、例えば、ＬＣＤ（Liquid Crystal Display）、ＰＤＰ(Plasma Display Panel)、有機ＥＬ(Electro Luminescence)パネルなどにより構成された表示手段である。表示部１５０には、端末装置１００の各種操作のメニューを表示するホーム画面、コンテンツリスト、再生中の音声コンテンツに関する情報（アーティスト名、曲名など）、動画コンテンツ、画像コンテンツなどが表示される。
【００２５】
制御部１６０は、例えば、ＣＰＵ（Central Processing Unit）、ＲＡＭ（Random Access Memory）およびＲＯＭ（Read Only Memory）などから構成されている。ＲＯＭには、ＣＰＵにより読み込まれて動作されるプログラムなどが記憶されている。ＲＡＭは、ＣＰＵのワークメモリとして用いられる。制御部１６０はストリーミング用アプリケーションを実行することによって、アプリケーション制御部１６１、ＧＵＩ（Graphical User Interface）制御部１６２、メモリアクセス制御部１６３、ストリーミング制御部１６４、車内ＬＡＮ（Local Area Network）コマンド制御部１６５、状態判定部１６６として機能する。
【００２６】
本技術は、端末装置１００にインストールされるアプリケーションプログラムが制御部１６０などのアプリケーションプロセッサに実行されることにより実現される。ただし、ただし、本技術はアプリケーションプログラムによって実現されるのみでなく、アプリケーション制御部１６１、ＧＵＩ制御部１６２、メモリアクセス制御部１６３、ストリーミング制御部１６４、車内ＬＡＮコマンド制御部１６５、状態判定部１６６それぞれの機能を有するハードウェアを組み合わせた装置として実現されてもよい。
【００２７】
アプリケーション制御部１６１は、アプリケーションの機能全体を管理、制御するものである。アプリケーション制御部１６１は、ユーザから入力部１４０に対してストリーミングモードでの動作を指示する入力がなされると、それに従い、端末装置１００をストリーミングモードに切り替える。
【００２８】
ＧＵＩ制御部１６２は、表示部１５０に表示される各種映像に合成するためのＧＵＩメニューを生成し、表示部１５０に供給する。これにより、表示部１５０に本技術をユーザに利用させるための各種メニュー表示、アイコン表示などが行われる。
【００２９】
メモリアクセス制御部１６３は、アプリケーション制御部１６１からの指示に従い、記憶部１３０からコンテンツデータなどの各種データの読み出しを行うものである。
【００３０】
ストリーミング制御部１６４は、記憶部１３０から読み出されたコンテンツデータをストリーミングの方式に基づいた所定のデータ形式に変換し、第２通信部１２０に供給する。コンテンツデータは、第２通信部１２０を介してカーオーディオ装置３００に送信される。
【００３１】
車内LANコマンド制御部１６５は、カーオーディオ装置３００をストリーミング再生モードに遷移させるための所定のコマンドを生成して第１通信部１１０に供給する。コマンドは第１通信部１１０を介してゲートウェイ装置２００に送信される。
【００３２】
状態判定部１６６は、ゲートウェイ装置２００を介して端末装置１００から送信されたコマンドを受けて、カーオーディオ装置３００がストリーミング再生モードに切り替わった否かを判定するものである。カーオーディオ装置３００は、ＣＡＮバス上に、自身の状態を常時通知している。よって、端末装置１００は、ゲートウェイ装置２００を介してＣＡＮバス上の通信を傍受することにより、カーオーディオ装置３００のモードを確認することができる。これにより、カーオーディオ装置３００がストリーミング再生モードになり、カーオーディオ装置３００の入力音源が端末装置１００からのストリーミング音源になったことを確認することができる。
【００３３】
以上のようにして端末装置１００が構成されている。
【００３４】
［１−３．ゲートウェイ装置の構成］
次に、図３を参照してゲートウェイ装置２００の構成について説明する。図３は、ゲートウェイ装置２００の構成を示すブロック図である。ゲートウェイ装置２００は、第３通信部２１０、第４通信部２２０、端末接続制御部２３０、車内ＬＡＮ接続制御部２４０、プロトコル変換処理部２５０を備える。
【００３５】
第３通信部２１０は、所定の通信方式を用いて端末装置１００とのデータの送受信を行うものである。通信方式はＷｉ−Ｆｉ、無線ＬＡＮ、３Ｇ回線、ＬＴＥ（Long Term Evolution）などがある。なお、本実施の形態においては、第３通信部２１０はＷｉ−Ｆｉによって通信を行うものとする。
【００３６】
第４通信部２２０は、車内ＬＡＮであるＣＡＮバスと接続されており、カーオーディオ装置３００との通信を行うためのＣＡＮ通信モジュールである。このように、ゲートウェイ装置２００は、ＣＡＮ通信機能と、有線および／または無線通信機能を有するものである。
【００３７】
端末接続制御部２３０は、第３通信部２１０は端末装置１００との通信を行うために、アクセスポイントの識別子であるＳＳＩＤ（Service Set Identifier）、ＷＥＰ（Wired Equivalent Privacy）のパスワード、ネットワーク名に対応したパスワードなどの管理、照合、認証などの所定の処理を行うものである。
【００３８】
車内ＬＡＮ接続制御部２４０は、第４通信部２２０が車内ＬＡＮと接続するために、第４通信部２２０に対して、車内ＬＡＮであるＣＡＮへの接続制御を実施する。
【００３９】
プロトコル変換処理部２５０は、端末装置１００から送信されたコマンドをカーオーディオ装置３００に送信するために所定の変換処理を施すものである。この点について図４を参照して説明する。
【００４０】
図４に示されるように、端末装置１００からゲートウェイ装置２００へはコマンドデータとして、「Identifier Field」と、「Data Field 0-8 Byte」に相当するデータが送信される。ゲートウェイ装置２００はそのデータを受信すると、プロトコル変換処理部２５０により、図４に示される「Identifier Field」と、「Data Field 0-8 Byte」以外の情報を付加する。付加される情報としては、データ照合情報、フッター情報などがある。そして、ゲートウェイ装置２００は、「Identifier Field」と、「Data Field 0-8 Byte」以外の情報が付加されたパケットをＣＡＮバスに供給することによりカーオーディオ装置３００に送信する。
【００４１】
また、プロトコル変換処理部２５０は、カーオーディオ装置３００から車内ＬＡＮ上の送信されたこのパケットを傍受し、「Identifier Field」と、「Data Field 0-8 Byte」に相当する部分を切り出して端末装置１００に送信する。この送信されたデータを用いて端末装置１００の状態判定部１６６はカーオーディオ装置３００のモードが遷移したか否かを判定することができる。
【００４２】
以上のようにしてゲートウェイ装置２００が構成されている。
【００４３】
［１−４．カーオーディオ装置の構成］
次に、図５を参照して、車載装置としてのカーオーディオ装置３００の構成について説明する。図５は、カーオーディオ装置３００の構成を示すブロック図である。カーオーディオ装置３００は、音声コンテンツの再生が可能な装置である。カーオーディオ装置３００は、第５通信部３１０、第６通信部３２０、入力部３３０、表示部３４０、制御部３５０、ＧＵＩ制御部３６０、車内ＬＡＮコマンド制御部３７０、ストリーミング制御部３８０、音声信号処理部３９０、音源部３９５を備える。
【００４４】
第５通信部３１０は、車内ＬＡＮであるＣＡＮバスとの通信を行うためのＣＡＮ通信モジュールである。第５通信部３１０はＣＡＮバスを介してゲートウェイ装置２００との通信を行う。
【００４５】
第６通信部３２０は、所定の通信方式を用いて端末装置１００とのデータの送受信を行うための通信モジュールである。通信方式としては、例えば、Bluetooth、Ｗｉ−Ｆｉ（Wireless Fidelity）、無線ＬＡＮ、３Ｇ回線、ＬＴＥ（Long Term Evolution）などがある。なお、本実施の形態においては、第６通信部３２０はBluetoothを利用して端末装置１００と通信を行うものとする。
【００４６】
なお、通信方式は、これらの無線通信方式に限られず、ＵＳＢ（Universal Serial Bus）接続、ＬＡＮケーブル接続などの有線通信であってもよい。また、上述した通信方式以外の方式であってもデータ通信が可能な接続方法であればどのようなものを採用してもよい。このように、カーオーディオ装置３００は、ＣＡＮ通信機能と有線および／または無線通信機能を有するものである。
【００４７】
入力部３３０は、ユーザがカーオーディオ装置３００に対して各種入力を行うための入力手段である。例えば、ボタン、タッチパネル、スイッチなどにより構成されている。また、入力部３３０は、表示部３４０と一体に構成されたタッチスクリーンとして構成してもよい。入力部３３０に対してユーザによる入力操作がなされると、その入力に対応した制御信号が生成されて制御部３５０に出力される。そして、制御部３５０によりその制御信号に対応した演算処理や制御が行われる。
【００４８】
表示部３４０は、例えば、ＬＣＤ、ＰＤＰ、有機ＥＬパネルなどにより構成された表示手段である。表示部３４０には、カーオーディオ装置３００の各種操作のメニューを表示するホーム画面、コンテンツリスト、再生中の音声コンテンツに関する情報（アーティスト名、曲名など）、動画コンテンツ、画像コンテンツなどが表示される。
【００４９】
制御部３５０は、例えば、ＣＰＵ、ＲＡＭおよびＲＯＭなどから構成されている。ＲＯＭには、ＣＰＵにより読み込まれて動作されるプログラムなどが記憶されている。ＲＡＭは、ＣＰＵのワークメモリとして用いられる。ＣＰＵは、ＲＯＭに記憶されたプログラムに従い様々な処理を実行することによって、カーオーディオ装置３００全体および各部の制御を行う。制御部３５０は、ゲートウェイ装置２００を介して端末装置１００から送信されたコマンドを受信すると、カーオーディオ装置３００のモードをストリーミング再生を行うストリーミング再生モードに切り替える。また、その際に、ストリーミング再生の入力音源を所定の音源に切り替える。本実施の形態においては、端末装置１００の第２通信部１２０から送信されるコンテンツを再生するように、入力音源を端末装置１００の第２通信部１２０に対応するようにBluetoothに切り替える。
【００５０】
ＧＵＩ制御部３６０は、表示部３４０に表示される各種映像に合成するためのＧＵＩメニューを生成し、表示部３４０に供給する。これにより、表示部１５０に本技術をユーザに利用させるための各種メニュー表示、アイコン表示などが行われる。
【００５１】
車内ＬＡＮコマンド制御部３７０は、車内ＬＡＮであるＣＡＮを通じて受信した、カーオーディオ装置３００をストリーミング再生モードに遷移させるためのコマンドデータに所定の処理を施して制御部３５０に供給する。また、車内ＬＡＮコマンド制御部３７０は、カーオーディオ装置３００自身の状態を示すために、コマンドデータを車内ＬＡＮに常時送信する働きも担う。
【００５２】
ストリーミング制御部３８０は、端末装置１００から送信され、第６通信部３２０で受信したコンテンツデータを音声信号に変換し、音声信号処理部３９０に供給する。このように、カーオーディオ装置３００は、外部装置からストリーミングで送信されたコンテンツを再生する機能を有するものである。
【００５３】
音声信号処理部３９０は、ストリーミング制御部３８０から供給された音声信号に対してＤ／Ａ（Digital/Analog）変換、増幅等の必要な処理を施して外部のアンプ、プリアウトなどに供給する。そして、音声はアンプまたはプリアウトに接続されたスピーカから出力される。
【００５４】
音源部３９５は、例えば、ＣＤ（Compact Disc）、ＤＶＤ（Digital Versatile Disc）、Blu-rayなどの光ディスクプレーヤやラジオなどの音声コンテンツを出力するものである。なお、本実施の形態においては、カーオーディオ装置３００で再生されるコンテンツは楽曲などの音声コンテンツであるが、コンテンツは、音声コンテンツに限られず、動画コンテンツ、画像コンテンツなどのその他のコンテンツでもよい。
【００５５】
以上のようにして、カーオーディオ装置３００が構成されている。なお、本実施の形態においては、端末装置１００とゲートウェイ装置２００間の通信は、Ｗｉ−Ｆｉを用いて行うものとする。また、端末装置１００とカーオーディオ装置３００間のコンテンツデータの送受信はBluetoothを用いて行うものとする。ただし、通信方式はそれらに限られるものではない。ゲートウェイ装置２００とカーオーディオ装置３００間の通信はＣＡＮバスを用いて行われる。
【００５６】
図６は、カーオーディオ装置３００と、車両に搭載される他の装置の接続態様を示すブロック図である。車両においては、アンプ１１００、カーオーディオ装置３００、コンソールパネル１０００、ゲートウェイ装置２００などの主にコンテンツ再生に関連する装置が第１のＣＡＮバス１４００に接続されている。そして、第１のＣＡＮバス１４００はメーターパネル１３００に接続されている。
【００５７】
メーターパネル１３００には第１のＣＡＮバス１４００とは異なる第２のＣＡＮバス１５００が接続されている。第２のＣＡＮバス１５００には、エンジン、ギア、ドア、ライトなど車両の走行に関連する装置、機器が接続されている。ただし、それらは本技術には直接関係ないため、図中の記載及び説明を省略する。このような接続態様においては、メーターパネル１３００がゲートウェイとしての役割を果たしている。
【００５８】
また、カーオーディオ装置３００にはアンプ１１００が接続されている、さらにアンプ１１００はスピーカ１２００に接続されている。カーオーディオ装置３００からアンプ１１００に供給された音声信号はアンプ１１００で増幅されスピーカ１２００に供給されることにより、音声として出力される。
【００５９】
以上のようにして、カーオーディオ装置３００が構成されている。
【００６０】
［１−５．コンテンツ再生システムにおける処理］
次に、コンテンツ再生システム１０における処理について説明する。図７はコンテンツ再生システム１０における処理の流れを示すフローチャートである。なお、端末装置１００、ゲートウェイ装置２００、カーオーディオ装置３００間における通信のための認証、ペアリングなどは予め行われているものとする。
【００６１】
まず、ステップＳ１０１で、端末装置１００の入力部１４０により、ユーザからのストリーミング再生モードを選択する操作を受け付ける。入力部１４０からアプリケーション制御部１６１にユーザの入力に応じた制御信号が送信され、アプリケーション制御部１６１の制御のもと端末装置１００はストリーミング再生モードで動作することとなる。
【００６２】
次にステップＳ１０２で、端末装置１００はゲートウェイ装置２００に対してコマンドを送信することにより、ゲートウェイ装置２００を介してコマンドをカーオーディオ装置３００に送信する。これを受けて、カーオーディオ装置３００の制御部３５０は、カーオーディオ装置３００を端末装置１００から送信されたコンテンツを再生するストリーミング再生モードに切り替える。
【００６３】
次にステップＳ１０３で、端末装置１００の状態判定部１６６は、カーオーディオ装置３００がストリーミング再生モードに切り替わり、ストリーミング再生モードの入力音源が適切に選択されたかを判定する。例えば、端末装置１００とカーオーディオ装置３００とがBluetoothで接続されている場合には、Bluetoothがストリーミングの入力音源として選択されたかを判定する。この確認は上述のように、端末装置１００がゲートウェイ装置２００を介してＣＡＮバス上の通信を傍受することにより確認することができる。
【００６４】
ステップＳ１０３の判定によって、カーオーディオ装置３００のモードおよび入力音源が適切であることが確認できた場合、処理はステップＳ１０４からステップＳ１０５に進む（ステップＳ１０４のＹｅｓ）。
【００６５】
そして、ステップＳ１０５で、端末装置１００は、カーオーディオ装置３００に対してコンテンツのストリーミングを実行する。ストリーミングデータは、ゲートウェイ装置２００を介さずに、Bluetoothを用いて端末装置１００からカーオーディオ装置３００に直接送信される。これにより、カーオーディオ装置３００によって端末装置１００に保存されたコンテンツの再生が可能となる。
【００６６】
一方、ステップＳ１０３の判定によって、カーオーディオ装置３００における入力音源としてBluetoothが選択されていないと確認された場合、処理はステップＳ１０４からステップＳ１０６に進む（ステップＳ１０４のＮｏ）。
【００６７】
次にステップＳ１０６で、所定の時間が経過した否かが判定される。時間の計時は端末装置が通常備える時計機能などを用いればよい。所定の時間が経過していない場合、処理はステップＳ１０３に進み、再び、カーオーディオ装置３００がストリーミング再生モードであるか、入力音源としてBluetoothが選択されているかを判定する。
【００６８】
一方、ステップＳ１０６で、所定の時間が経過したと判定された場合、処理はステップＳ１０７に進む（ステップＳ１０６のＹｅｓ）。そして、ステップＳ１０７で、端末装置１００のアプリケーション制御部１６１は、ユーザに対してエラー通知を行う。エラー通知は、所定時間が経過してもカーオーディオ装置３００がストリーミング再生モードに遷移しないため、いずれかの装置やネットワークになんらかの障害があるおそれがあるため、それをユーザに通知するために行うものである。
【００６９】
エラー通知の方法としては、ＧＵＩ制御部１６２の制御のもと表示部１５０に表示される文字列、画像、アイコンなどの表示、または、端末装置１００が備えるスピーカから出力する音声メッセージなどが考えられる。表示部１５０における表示と音声メッセージとを併用してもよい。なお、エラー通知は、端末装置１００、カーオーディオ装置３００の両方またはいずれか一方において行うようにしてもよい。
【００７０】
以上のようにして、第１の実施の形態における処理が行われる。第１の実施の形態によれば、カーオーディオ装置３００を直接操作しなくても、端末装置１００を操作するだけでカーオーディオ装置３００のモードを切り替えることが可能となる。
【００７１】
通常、カーオーディオ装置３００の操作パネルは車両の前部座席側に設けられているため、車両内の後部座席に座っている人は操作することができない、または、身を前方に乗り出さなければ操作することができず、不便である。そこで、本実施の形態に係る技術を用いれば、後部座席に座っている人は端末装置１００を操作することでカーオーディオ装置３００を直接操作しなくてもカーオーディオ装置３００のモードを切り替えることができ、コンテンツの再生を容易に行うことが可能となる。
【００７２】
また、ゲートウェイ装置２００はコマンドデータの送受信を行うのみで、コンテンツデータの送受信は行わないため、ゲートウェイ装置２００に高い性能を要求する必要がない。よって、ゲートウェイ装置２００の性能を高めた結果、ゲートウェイ装置が高価なものとなってしまうこともない。また、ゲートウェイ装置には高性能を要求することがないため、既存のゲートウェイ装置のままで、将来的なコンテンツの高音質化、高画質化にも対応することができる。
【００７３】
＜２．第２の実施の形態＞
［２−１．端末装置の構成］
次に、本技術の第２の実施の形態について説明する。図８は本技術の第２の実施の形態に係る端末装置４００の構成を示すブロック図である。第２の実施の形態における端末装置４００は、マイクロホン４１０およびイコライザ解析／決定部４２０を備える点で第１の実施の形態と相違する。その他の構成は第１の実施の形態と同様であるため、説明を省略する。
【００７４】
マイクロホン４１０は、端末装置４００に音声を入力するための音声入力手段である。マイクロホン４１０に入力された音声はアナログ音声信号に変換されてイコライザ解析／決定部４２０に供給される。
【００７５】
イコライザ解析／決定部４２０は、マイクロホン４１０から入力された音声信号を解析して、コンテンツ再生の際における適切なイコライザ設定を決定するものである。適切なイコライザ設定としては、例えば、約１００Ｈｚ以下の低域が所定値以上である場合には、１００Ｈｚ以下のゲインを所定量下げ、また、低域が所定値以下である場合には、低域のゲインを所定量上げるなどである。これは、高域、中域についても同様である。また、予め、イコライザ設定のプリセットを多数カーオーディオ装置５００に記憶させておき、入力音声の解析結果に合わせてプリセットを選択することによりイコライザ設定を決定するようにしてもよい。
【００７６】
決定されたイコライザ設定情報は、端末装置４００からゲートウェイ装置２００に送信され、ゲートウェイ装置２００を介してカーオーディオ装置５００に送信される。カーオーディオ装置５００はイコライザ設定情報を受信すると、それに従い、自身のイコライザ調整を行う。
【００７７】
また、第２の実施の形態において状態判定部１６６は、ゲートウェイ装置２００を介してＣＡＮバス上の通信を傍受してカーオーディオ装置５００の状態を取得することによりイコライザの状態を把握する。そして、その把握したイコライザの状態と、イコライザ解析／決定部４２０が算出したイコライザ設定と比較することにより、カーオーディオ装置５００のイコライザ設定が正しくなされているかを判定する。
【００７８】
［２−２．カーオーディオ装置の構成］
次に、第２の実施の形態に係るカーオーディオ装置５００の構成について説明する。図９は第２の実施の形態に係るカーオーディオ装置５００の構成を示すブロック図である。第２の実施の形態におけるカーオーディオ装置５００は、イコライザ設定部５１０を備える点で第１の実施の形態と相違する。その他の構成は第１の実施の形態と同様であるため、説明を省略する。
【００７９】
イコライザ設定部５１０は、ゲートウェイ装置２００を介して端末装置４００から送信されたイコライザ設定情報に基づいて音声信号処理部３９０におけるイコライザの設定を行うものである。これにより、カーオーディオ装置５００は、端末装置４００が算出したイコライザ設定で音声を再生することができる。
【００８０】
［２−３．コンテンツ再生システムにおける処理］
次に、図１０および図１１のフローチャートを参照して、第２の実施の形態に係るコンテンツ再生システム１０における処理について説明する。第１の実施の形態と同じ処理については同じステップ番号を付して詳細な説明を省略する。
【００８１】
ステップＳ１０１およびステップＳ１０２の処理の後、ステップＳ２０１で、端末装置４００は、カーオーディオ装置５００のイコライザ設定を初期化させるためのコマンドデータをゲートウェイ装置２００を介してカーオーディオ装置５００に送信する。これを受けて、カーオーディオ装置５００のイコライザ設定部５１０は、カーオーディオ装置５００のイコライザ設定を初期化させる。
【００８２】
次にステップＳ１０３で、端末装置４００の状態判定部１６６は、カーオーディオ装置５００がストリーミング再生モードに切り替わり、ストリーミング再生モードの入力音源が適切に選択されたかを判定する。さらに、状態判定部１６６は、カーオーディオ装置５００のイコライザ設定が初期状態に戻ったか否かを判定する。上述したように、カーオーディオ装置５００は、ＣＡＮバス上に、自身の状態を常時通知している。よって、端末装置４００は、カーオーディオ装置５００のモードの判定と同様に、ゲートウェイ装置２００を介してＣＡＮバス上の通信を傍受することにより、カーオーディオ装置５００のイコライザ設定を確認することができる。
【００８３】
そして、カーオーディオ装置５００のモードがストリーミング再生モードになり、入力音源としてBluetoothが選択され、さらにイコライザの設定が初期化されている場合には処理はステップＳ２０３からステップＳ１０５に進む（ステップＳ２０３のＹｅｓ）。次にステップＳ１０５で端末装置４００からカーオーディオ装置５００へ、Bluetoothを用いたストリーミングが実行される。
【００８４】
一方、カーオーディオ装置５００のモードがストリーミング再生モードであること、入力音源としてBluetoothが選択されていること、イコライザの設定が初期化されていることのいずれか一つがなされていない場合には、処理はステップＳ２０３からステップＳ１０６に進む（ステップＳ２０３のＮｏ）。
【００８５】
そして、ステップＳ１０６で所定時間が経過したか否かを判定し、経過した場合にはステップＳ１０７で、端末装置４００はユーザに対してエラー通知を行う。このエラー通知の態様は第１の実施の形態と同様であり、表示部１５０における表示、音声メッセージなどによりエラーを通知する。
【００８６】
ステップＳ１０５でストリーミングが実行されると、次にステップＳ２０４で、端末装置４００のイコライザ解析／決定部４２０は、マイクロホン４１０からの入力音声に基づいてイコライザ設定を決定する。そして、その決定されたイコライザ設定情報はゲートウェイ装置２００に送信され、ゲートウェイ装置を介してカーオーディオ装置５００に送信される。
【００８７】
そして、ステップＳ２０５で、カーオーディオ装置５００のイコライザ設定部５１０は、受信したイコライザ設定情報に基づいてカーオーディオ装置５００のイコライザ設定を行う。
【００８８】
次にステップＳ２０６で、端末装置４００は、ゲートウェイ装置２００を介してＣＡＮバス上の通信を傍受することにより、カーオーディオ装置５００のイコライザ設定が正しくなされたかを判定する。そして、カーオーディオ装置５００のイコライザの設定が正しくなされている場合、処理はステップＳ２０７からステップＳ２０８に進む（ステップＳ２０７のＹｅｓ）。
【００８９】
そして、ステップＳ２０８で、イコライザの設定を完了とし、処理が終了となる。一方、カーオーディオ装置５００のイコライザの設定が正しくなされていない場合、処理はステップＳ２０７からステップＳ２０９に進む（ステップＳ２０７のＮｏ）。
【００９０】
次にステップＳ２０９で、所定の時間が経過した否かが判定される。所定の時間が経過していない場合、処理はステップＳ２０６に進み、再び、カーオーディオ装置５００のイコライザが正しく設定されたかを判定する。
【００９１】
一方、ステップＳ２０９で、所定の時間が経過したと判定された場合、処理はステップＳ２１０に進む（ステップＳ２０９のＹｅｓ）。そして、ステップＳ２１０で、端末装置４００のアプリケーション制御部１６１は、ユーザに対してエラー通知を行う。エラー通知は、所定時間が経過してもカーオーディオ装置５００のイコライザが正しく設定されない場合にいずれかの装置やネットワークになんらかの障害があるおそれがあるため、それをユーザに通知するために行うものである。
【００９２】
エラー通知の方法としては、表示部１５０における文字列、画像、アイコンなどの表示、または、端末装置４００が備えるスピーカから出力する音声メッセージなどが考えられる。表示部１５０における表示と音声メッセージとを併用してもよい。
【００９３】
以上のようにして第２の実施の形態における処理が行われる。第２の実施の形態によれば、マイクロホン４１０で集音した環境音に合わせて、コンテンツ再生の際のイコライザを設定することができるため、よりよい音質でコンテンツを再生させることができる。
【００９４】
また、イコライザ設定の決定は端末装置４００側で行うため、ゲートウェイ装置２００、カーオーディオ装置５００に何ら変更を加えることなく、それら装置は従来のものをそのまま使用することができる。
【００９５】
さらに、端末装置４００により決定されたイコライザ設定情報は、ゲートウェイ装置２００を介してカーオーディオ装置５００に送信されるため、イコライザ設定のためにカーオーディオ装置５００を直接操作する必要がない。よって、カーオーディオ装置５００から離間した位置にいるユーザであってもイコライザ設定を行い、コンテンツ再生を行うことができる。
【００９６】
＜３．第３の実施の形態＞
［３−１．端末装置の構成］
次に、本技術の第３の実施の形態について説明する。図１２は第３の実施の形態に係る端末装置の構成を示すブロック図である。第３の実施の形態における端末装置６００は、イコライザ解析／決定部６１０を備える点で、第１の実施の形態と相違する。その他の構成は第１の実施の形態と同様であるため、説明を省略する。
【００９７】
イコライザ解析／決定部６１０は、ストリーミングデータに対して公知の音声解析処理を施し、コンテンツの周波数特性を求める。そして、周波数特性情報に基づき、イコライザ設定を決定する。イコライザの設定としては、例えば、約１００Ｈｚ以下の低域が所定値以上である場合には、１００Ｈｚ以下のゲインを所定量下げ、また、低域が所定値以下である場合には、低域のゲインを所定量上げるなどである。これは、高域、中域についても同様である。また、予め、イコライザ設定のプリセットを多数カーオーディオ装置５００に記憶させておき、入力音声の解析結果に合わせてプリセットを選択することによりイコライザ設定を決定するようにしてもよい。
【００９８】
算出されたイコライザ設定情報は第２の実施の形態と同様に、ゲートウェイ装置２００を介して、カーオーディオ装置５００に送信される。カーオーディオ装置５００の構成は第２の実施の形態と同様である。カーオーディオ装置５００のイコライザ設定部５１０は、ゲートウェイ装置を介して端末装置６００から送信されたイコライザ設定情報に基づいて音声信号処理部３９０においてイコライザの設定を行う。これにより、カーオーディオ装置５００は、端末装置６００が算出したイコライザ設定により調整された音でコンテンツを再生することができる。
【００９９】
以上のようにして、第３の実施の形態に係る端末装置６００が構成されている。なお、ゲートウェイ装置２００およびカーオーディオ装置５００の構成は第２の実施の形態と同様であるため説明を省略する。
【０１００】
［３−２．コンテンツ再生システムにおける処理］
次に、第３の実施の形態に係るコンテンツ再生システムにおける処理について図１０および図１３のフローチャートを参照して説明する。第１または第２の実施の形態と同じ処理については同じステップ番号を付して詳細な説明を省略する。第２の実施の形態における処理を示す図１０のフローチャートは第３の実施の形態においても同様であるため、説明は、図１３のステップＳ３０１から行う。
【０１０１】
ステップＳ３０１で、端末装置６００のイコライザ解析／決定部６１０は、端末装置６００からカーオーディオ装置５００に送信されるコンテンツデータの音声を解析し、イコライザ設定を決定する。次に、ステップＳ３０２で、イコライザ設定情報がゲートウェイ装置２００を介してカーオーディオ装置５００に送信される。そして、カーオーディオ装置５００のイコライザ設定部５１０により、そのイコライザ設定情報に基づいたイコライザ設定がなされる。ステップＳ２０６乃至ステップＳ２１０の処理は第２の実施の形態と同様である。
【０１０２】
以上のようにして第３の実施の形態における処理が行われる。第３の実施の形態によれば、コンテンツの音響特性に合わせて、コンテンツ再生の際のイコライザを設定することができるため、よりよい音質でコンテンツを再生させることができる。
【０１０３】
＜４．変形例＞
以上、本技術の実施の形態について具体的に説明したが、本技術は、上述の実施形態に限定されるものではなく、本技術の技術的思想に基づく各種の変形が可能である。本技術は以下のような構成も取ることができる。
【０１０４】
（１）
車内ネットワークを介して、モードをコンテンツデータを再生するモードに切り替えるコマンド情報を受信する第１の通信部と、
前記第１の通信部で受信したコマンド情報に応じて、モードをコンテンツデータを再生するモードに切り替える制御部と、
前記コンテンツデータを前記車内ネットワークとは異なる通信ネットワークから受信する第２の通信部と、
前記第２の通信部で受信した前記コンテンツデータを再生するコンテンツ再生部と
を有し、
前記第１の通信部は、前記コンテンツデータを再生するモードに切り替わったことを示す情報を前記車内ネットワーク上に送出する
車載装置。
（２）
車内ネットワークを介して、モードをコンテンツデータを再生するモードに切り替えるコマンド情報を受信し、
受信した前記コマンド情報に応じて、モードを前記コンテンツデータを再生するモードに切り替え、
前記車内ネットワークとは異なる通信ネットワークから前記コンテンツデータを受信し、
受信した前記コンテンツデータを再生し、
前記コンテンツデータを再生するモードに切り替わったことを示す情報を前記車内ネットワーク上に送出する
車載装置におけるコンテンツ再生方法。
（３）
車内ネットワークを介して、モードをコンテンツデータを再生するモードに切り替えるコマンド情報を受信し、
受信した前記コマンド情報に応じて、モードを前記コンテンツデータを再生するモードに切り替え、
前記車内ネットワークとは異なる通信ネットワークから前記コンテンツデータを受信し、
受信した前記コンテンツデータを再生し、
前記コンテンツデータを再生するモードに切り替わったことを示す情報を前記車内ネットワーク上に送出する
車載装置におけるコンテンツ再生方法をコンピュータに実行させるコンテンツ再生プログラム。
【符号の説明】
【０１０５】
１００、４００、６００・・端末装置
１１０・・・・・・・・・・第１通信部
１２０・・・・・・・・・・第２通信部
１６６・・・・・・・・・・状態判定部
２００・・・・・・・・・・ゲートウェイ装置
３００，５００・・・・・・カーオーディオ装置
４１０・・・・・・・・・・マイクロホン
４２０・・・・・・・・・・イコライザ解析／決定部
【図１】
2020205591.tif 000003
【図２】
2020205591.tif 000004
【図３】
2020205591.tif 000005
【図４】
2020205591.tif 000006
【図５】
2020205591.tif 000007
【図６】
2020205591.tif 000008
【図７】
2020205591.tif 000009
【図８】
2020205591.tif 000010
【図９】
2020205591.tif 000011
【図１０】
2020205591.tif 000012
【図１１】
2020205591.tif 000013
【図１２】
2020205591.tif 000014
【図１３】
2020205591.tif 000015
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
車内ネットワークを介して、起動または動作させるアプリケーションを設定するコマンド情報を受信し、
受信した前記コマンド情報に応じて、アプリケーションを起動または動作させ、
前記アプリケーションに対応するコンテンツデータを前記車内ネットワークとは異なる通信から受信し、
受信した前記コンテンツデータをユーザ入力に応じて表示または再生し、
前記アプリケーションが起動または動作されたことを示す情報を車載装置に備えられた表示部に表示させる
車載装置。
【請求項２】
前記コンテンツデータは音楽データである
請求項１に記載の車載装置。
【請求項３】
前記通信は無線通信ネットワークである
請求項１に記載の車載装置。
【請求項４】
前記通信は有線通信ネットワークである
請求項１に記載の車載装置。
【請求項５】
前記車内ネットワークは、ゲートウェイ装置に接続される
請求項１に記載の車載装置。
【請求項６】
前記車内ネットワークは、CAN（Controller Area Network）である
請求項１に記載の車載装置。
【請求項７】
車内ネットワークを介して、起動または動作させるアプリケーションを設定するコマンド情報を受信し、
受信した前記コマンド情報に応じて、アプリケーションを起動または動作させ、
前記アプリケーションに対応するコンテンツデータを前記車内ネットワークとは異なる通信から受信し、
受信した前記コンテンツデータをユーザ入力に応じて表示または再生し、
前記アプリケーションが起動または動作されたことを示す情報を車載装置に備えられた表示部に表示させる
車載装置の制御方法。
【請求項８】
車内ネットワークを介して、起動または動作させるアプリケーションを設定するコマンド情報を受信し、
受信した前記コマンド情報に応じて、アプリケーションを起動または動作させ、
前記アプリケーションに対応するコンテンツデータを前記車内ネットワークとは異なる通信から受信し、
受信した前記コンテンツデータをユーザ入力に応じて表示または再生し、
前記アプリケーションが起動または動作されたことを示す情報を車載装置に備えられた表示部に表示させる
車載装置の制御方法をコンピュータに実行させる制御プログラム。
【請求項９】
車内ネットワークを介して、起動または動作させるアプリケーションを設定するコマンド情報を受信し、
受信した前記コマンド情報に応じて、アプリケーションを起動または動作させ、
前記アプリケーションに対応するコンテンツデータを前記車内ネットワークとは異なる通信から受信し、
受信した前記コンテンツデータをユーザ入力に応じて表示または再生し、
前記アプリケーションが起動または動作されたことを示す情報を車載装置に備えられた表示部に表示させる車載装置に対して、前記車内ネットワークとは異なる前記通信を介して前記アプリケーションに対応するコンテンツデータを送信する通信部を備える
端末装置。
【請求項１０】
前記車載装置から、前記車内ネットワークとは異なる通信を介して前記車載装置に前記アプリケーションに対応するコンテンツデータを送信するよう制御させるコマンドを受信し、前記コマンドに応じて前記車載装置に前記アプリケーションに対応するコンテンツデータを送信する
請求項９に記載の端末装置。
【請求項１１】
前記コンテンツデータは音楽データである
請求項９に記載の端末装置。
【請求項１２】
前記通信は無線通信ネットワークである
請求項９に記載の端末装置。
【請求項１３】
前記通信は有線通信ネットワークである
請求項９に記載の端末装置。
【請求項１４】
前記車内ネットワークは、ゲートウェイ装置に接続される
請求項９に記載の端末装置。
【請求項１５】
前記車内ネットワークは、CAN（Controller Area Network）である
請求項９に記載の端末装置。
【請求項１６】
車内ネットワークを介して、起動または動作させるアプリケーションを設定するコマンド情報を受信し、
受信した前記コマンド情報に応じて、アプリケーションを起動または動作させ、
前記アプリケーションに対応するコンテンツデータを前記車内ネットワークとは異なる通信から受信し、
受信した前記コンテンツデータをユーザ入力に応じて表示または再生し、
前記アプリケーションが起動または動作されたことを示す情報を車載装置に備えられた表示部に表示させる車載装置に対して、前記車内ネットワークとは異なる前記通信を介して前記アプリケーションに対応するコンテンツデータを送信する
端末装置の制御方法。
【請求項１７】
車内ネットワークを介して、起動または動作させるアプリケーションを設定するコマンド情報を受信し、
受信した前記コマンド情報に応じて、アプリケーションを起動または動作させ、
前記アプリケーションに対応するコンテンツデータを前記車内ネットワークとは異なる通信から受信し、
受信した前記コンテンツデータをユーザ入力に応じて表示または再生し、
前記アプリケーションが起動または動作されたことを示す情報を車載装置に備えられた表示部に表示させる車載装置に対して、前記車内ネットワークとは異なる前記通信を介して前記アプリケーションに対応するコンテンツデータを送信する
端末装置の制御方法をコンピュータに実行させる制御プログラム。
【手続補正３】
【補正対象書類名】明細書
【補正対象項目名】０００１
【補正方法】変更
【補正の内容】
【０００１】
本技術は車載装置、車載装置の制御方法、制御プログラム、端末装置、端末装置の制御方法および制御プログラムに関する。
【手続補正４】
【補正対象書類名】明細書
【補正対象項目名】０００６
【補正方法】変更
【補正の内容】
【０００６】
上述した課題を解決するために、第１の技術は、車内ネットワークを介して、起動または動作させるアプリケーションを設定するコマンド情報を受信し、受信したコマンド情報に応じて、アプリケーションを起動または動作させ、アプリケーションに対応するコンテンツデータを車内ネットワークとは異なる通信から受信し、受信したコンテンツデータをユーザ入力に応じて表示または再生し、アプリケーションが起動または動作されたことを示す情報を車載装置に備えられた表示部に表示させる車載装置である。
【手続補正５】
【補正対象書類名】明細書
【補正対象項目名】０００７
【補正方法】変更
【補正の内容】
【０００７】
また、第２の技術は、車内ネットワークを介して、起動または動作させるアプリケーションを設定するコマンド情報を受信し、受信したコマンド情報に応じて、アプリケーションを起動または動作させ、アプリケーションに対応するコンテンツデータを車内ネットワークとは異なる通信から受信し、受信したコンテンツデータをユーザ入力に応じて表示または再生し、アプリケーションが起動または動作されたことを示す情報を車載装置に備えられた表示部に表示させる車載装置の制御方法である。
【手続補正６】
【補正対象書類名】明細書
【補正対象項目名】０００８
【補正方法】変更
【補正の内容】
【０００８】
さらに、第３の技術は、車内ネットワークを介して、起動または動作させるアプリケーションを設定するコマンド情報を受信し、受信したコマンド情報に応じて、アプリケーションを起動または動作させ、アプリケーションに対応するコンテンツデータを車内ネットワークとは異なる通信から受信し、受信したコンテンツデータをユーザ入力に応じて表示または再生し、アプリケーションが起動または動作されたことを示す情報を車載装置に備えられた表示部に表示させる車載装置の制御方法をコンピュータに実行させる制御プログラムである。